(57)【要約】【課題】本発明は、通信装置に関し、詳細には、回線信号のモニタ音や操作部での操作時の操作関連音等を操作者に良好な状態で出力する通信装置に関する。【解決手段】ファクシミリ装置１は、操作者の高さを人体検知センサで検出して、該検出した操作者の高さに応じて、ＡＣＫ、ＮＡＣＫ等の操作音や警告音等の出力音声及び回線のモニタ音を増幅する増幅器のゲイン値を調整し、また、回線モニタするフィルタのフィルタ値を調整することで、スピーカ７からの出力音声の音量や音質を調整している。したがって、操作者の高さにかかわらず、出力音声を適切な音量や音質に調整することができ、操作者が聞きやすい音声出力を行うことができる。【選択図】          図１
2008118365.tif 000002
【特許請求の範囲】
【請求項１】
所定の回線を介して通信する通信装置において、所定の音声を出力する音声出力手段と、該音声出力手段の出力する音声の音量または／及び音質を調整する音声調整手段と、操作者の高さを判別する高さ判別手段と、操作者の高さと前記音声出力手段から出力する音声の音量または／及び音質の音声関連データを関連付けて記憶する音声関連データ記憶手段と、前記高さ判別手段の判別した操作者の高さに対応する前記音声関連データを前記音声関連データ記憶手段から取得し、該音声関連データに基づいて前記音声出力手段の出力する音声の音量または／及び音質を前記音声調整手段に調整させる制御手段と、を備えていることを特徴とする通信装置。
【請求項２】
前記音声出力手段は、各種操作を行う操作手段の操作に応じた操作音等の音声を出力することを特徴とする請求項１記載の通信装置。
【請求項３】
前記通信装置は、前記回線での回線信号の減衰を測定して、該減衰を補正するための補正値を所定の周波数毎に記憶する補正値記憶手段と、該回線からの回線信号の周波数を検出する周波数検出手段と、該回線からの回線信号をモニタするモニタ手段と、該モニタ手段のモニタした回線信号に減衰補正を施して前記音声出力手段に出力させる補正手段と、を備え、前記制御手段は、前記周波数検出手段の検出した回線信号の周波数に対応する補正値を前記補正値記憶手段から取得して、該補正値に基づいて前記補正手段に減衰補正を行わせることを特徴とする請求項１または請求項２記載の通信装置。
【請求項４】
前記通信装置は、前記補正値記憶手段が、前記回線が外線であるときの該外線での回線信号の前記減衰を補正する補正値と前記回線が内線であるときの該内線での回線信号の前記減衰を補正する補正値を所定の周波数毎にそれぞれ記憶し、前記制御手段は、接続している回線が内線であるか外線であるかの回線種別を判別して、該判別した回線種別と前記周波数検出手段の検出した回線信号の周波数に対応する前記補正値を該補正値記憶手段から取得して、該補正値に基づいて前記補正手段に減衰補正を行わせることを特徴とする請求項３記載の通信装置。
【請求項５】
前記高さ判別手段は、光波、電波等の所定の検出波を放射する検出波放射手段と、操作者からの該検出波の反射を検出する検出波検出手段と、該検出波検出手段の検出結果に対応する操作者の高さを該各検出結果毎に記憶する高さ記憶手段と、を備え、前記制御手段が、該検出波検出手段の検出結果に対応する操作者の高さを該高さ記憶手段から取得することを特徴とする請求項１から請求項４のいずれかに記載の通信装置。
【請求項６】
前記高さ判別手段は、操作者が操作者の高さに応じてその傾きを調整して各種操作を行う操作手段の該傾きを検出する傾き検出手段と、該傾き検出手段の検出する傾きに対応する操作者の高さを該所定の傾き毎に記憶する高さ記憶手段と、を備え、前記制御手段が、該傾き検出手段の検出した傾きに対応する操作者の高さを該高さ記憶手段から取得することを特徴とする請求項１から請求項４のいずれかに記載の通信装置。
【請求項７】
前記通信装置は、壁等の音を反射・吸収する周囲物質の配置状況を検出する配置状況検出手段を備え、前記制御手段は、該配置状況検出手段の検出した周囲物質の配置状況に応じて、前記音声調整手段に前記音声出力手段の出力する音声の音量を調整させることを特徴とする請求項１から請求項４のいずれかに記載の通信装置。
【請求項８】
前記通信装置は、少なくとも各種操作を行う操作手段が本体部分と分離可能であって、前記音声出力手段が、該本体部分に設けられており、該分離されている操作手段と本体部分との位置関係を検出する位置検出手段を備え、前記制御手段は、該位置検出手段の検出した位置関係に応じて、前記音声調整手段に前記音声出力手段の出力する音声の音量を調整させることを特徴とする請求項１から請求項７のいずれかに記載の通信装置。
【発明の詳細な説明】
【技術分野】
【０００１】
本発明は、通信装置に関し、詳細には、ファクシミリ通信信号等の通信信号のモニタ音や操作部の操作時の操作関連音等の出力音声を操作者に良好な状態で出力する通信装置に関する。
【背景技術】
【０００２】
ファクシミリ装置においては、ファクシミリを送受信機能、電話機能及び留守番電話機能を有しており、回線信号をモニタして拡声出力したり、留守番電話機能で録音した音声を拡声出力し、また、操作部でのキー操作時のＡＣＫ音、ＮＡＣＫ音、さらには、各種警告音等を拡声出力する音声出力機能を備えている。
【０００３】
そして、従来のファクシミリ装置は、モニタ音やモニタ音以外の音の出力において、モニタ音とモニタ音以外の音のゲインを切り換えて、モニタ音以外の音の回線系への回り込みを防止している（特許文献１参照）。
【０００４】
また、従来のファクシミリ装置は、留守番電話機能への応答メッセージの内蔵マイクからの録音時とファクシミリ装置及び外設電話機の送受話器からの入力時とでゲイン切換を行うとともに、発呼側からのメッセージをモニタスピーカから出力したり、送受話器から出力したり、また、外設電話機の送受話器から出力するが、これらの出力方法でゲインを自動調整して、いる（特許文献２参照）。
【０００５】
ところが、これらの従来技術にあっては、モニタ音とモニタ音以外でのゲインの切り換えや出力方法でのゲインの切り換えを行っているのみであり、出力音の聞き取り易さについては、考慮されていなかった。
【０００６】
そして、従来、マイクからの音声ガイダンスの出力音声と、音声領域よりも広い環境音とを検出して、両検出音の差に基づいて該音性ガイダンスの音量を調整するファクシミリ装置が提案されている（特許文献３参照）。
【０００７】
【特許文献１】特開平８−２２８２４７号公報
【特許文献２】特開平７−７４８７９号公報
【特許文献３】実開平６−２８５５号公報
【発明の開示】
【発明が解決しようとする課題】
【０００８】
しかしながら、上記特許文献３記載の従来技術にあっては、環境音（環境ノイズ）と音声ガイダンスの出力音声との差に基づいて音声ガイダンスの出力音声の音量を調整しているため、操作者にとって良好な聞きやすさの音声出力を安価に行う上で改良の必要があった。
【０００９】
すなわち、環境ノイズは時々刻々と変化するものであり、このような環境ノイズに基づいて音声ガイダンスの音量を調整することは、実用性が困難であるだけでなく、ファクシミリ装置を操作する操作者にとっては、ファクシミリ装置から出力される音声の聞きやすさは、環境音との相対的な音量だけでなく、ファクシミリ装置から発生される音と操作者との位置関係も大きく影響しており、改良の必要があった。
【００１０】
そこで、本発明は、操作者がより聞きやすい音声出力を安価に行う通信装置を提供することを目的としている。
【課題を解決するための手段】
【００１１】
請求項１記載の発明の通信装置は、所定の回線を介して通信する通信装置において、所定の音声を出力する音声出力手段と、該音声出力手段の出力する音声の音量または／及び音質を調整する音声調整手段と、操作者の高さを判別する高さ判別手段と、操作者の高さと前記音声出力手段から出力する音声の音量または／及び音質の音声関連データを関連付けて記憶する音声関連データ記憶手段と、前記高さ判別手段の判別した操作者の高さに対応する前記音声関連データを前記音声関連データ記憶手段から取得し、該音声関連データに基づいて前記音声出力手段の出力する音声の音量または／及び音質を前記音声調整手段に調整させる制御手段と、を備えていることにより、上記目的を達成している。
【００１２】
この場合、例えば、請求項２に記載するように、前記音声出力手段は、各種操作を行う操作手段の操作に応じた操作音等の音声を出力するものであってもよい。
【００１３】
また、例えば、請求項３に記載するように、前記通信装置は、前記回線での回線信号の減衰を測定して、該減衰を補正するための補正値を所定の周波数毎に記憶する補正値記憶手段と、該回線からの回線信号の周波数を検出する周波数検出手段と、該回線からの回線信号をモニタするモニタ手段と、該モニタ手段のモニタした回線信号に減衰補正を施して前記音声出力手段に出力させる補正手段と、を備え、前記制御手段は、前記周波数検出手段の検出した回線信号の周波数に対応する補正値を前記補正値記憶手段から取得して、該補正値に基づいて前記補正手段に減衰補正を行わせるものであってもよい。
【００１４】
さらに、例えば、請求項４に記載するように、前記通信装置は、前記補正値記憶手段が、前記回線が外線であるときの該外線での回線信号の前記減衰を補正する補正値と前記回線が内線であるときの該内線での回線信号の前記減衰を補正する補正値を所定の周波数毎にそれぞれ記憶し、前記制御手段は、接続している回線が内線であるか外線であるかの回線種別を判別して、該判別した回線種別と前記周波数検出手段の検出した回線信号の周波数に対応する前記補正値を該補正値記憶手段から取得して、該補正値に基づいて前記補正手段に減衰補正を行わせるものであってもよい。
【００１５】
また、例えば、請求項５に記載するように、前記高さ判別手段は、光波、電波等の所定の検出波を放射する検出波放射手段と、操作者からの該検出波の反射を検出する検出波検出手段と、該検出波検出手段の検出結果に対応する操作者の高さを該各検出結果毎に記憶する高さ記憶手段と、を備え、前記制御手段が、該検出波検出手段の検出結果に対応する操作者の高さを該高さ記憶手段から取得するものであってもよい。
【００１６】
さらに、例えば、請求項６に記載するように、前記高さ判別手段は、操作者が操作者の高さに応じてその傾きを調整して各種操作を行う操作手段の該傾きを検出する傾き検出手段と、該傾き検出手段の検出する傾きに対応する操作者の高さを該所定の傾き毎に記憶する高さ記憶手段と、を備え、前記制御手段が、該傾き検出手段の検出した傾きに対応する操作者の高さを該高さ記憶手段から取得するものであってもよい。
【００１７】
また、例えば、請求項７に記載するように、前記通信装置は、壁等の音を反射・吸収する周囲物質の配置状況を検出する配置状況検出手段を備え、前記制御手段は、該配置状況検出手段の検出した周囲物質の配置状況に応じて、前記音声調整手段に前記音声出力手段の出力する音声の音量を調整させるものであってもよい。
【００１８】
さらに、例えば、請求項８に記載するように、前記通信装置は、少なくとも各種操作を行う操作手段が本体部分と分離可能であって、前記音声出力手段が、該本体部分に設けられており、該分離されている操作手段と本体部分との位置関係を検出する位置検出手段を備え、前記制御手段は、該位置検出手段の検出した位置関係に応じて、前記音声調整手段に前記音声出力手段の出力する音声の音量を調整させるものであってもよい。
【発明の効果】
【００１９】
本発明の通信装置によれば、操作者の高さを検出して、該操作者の高さに応じて、出力音声の音量または／及び音質を調整するので、操作者の高さにかかわらず、ＡＣＫ、ＮＡＣＫ等の操作音や回線のモニタ音等の出力音声を適切な音量や音質に調整することができ、操作者がより聞きやすい音声出力を安価に行って、通信装置の利用性を向上させることができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１〜図４は、本発明の通信装置の第１実施例を示す図であり、図１は、本発明の通信装置の第１実施例を適用したファクシミリ装置１の外観斜視図である。
【００２２】
図１において、ファクシミリ装置１は、本体筐体２の上部に排紙台３を挟んでＡＤＦ（Auto Document Feeder）４と操作パネル５が配設されており、本体筐体２は、オプション給紙段６の上に配設されている。なお、ファクシミリ装置１は、その本体筐体２が、オプション給紙段６の代わりに、テーブルオプション等に設置されていてもよいし、直接、床に設置されていてもよい。
【００２３】
ファクシミリ装置１は、操作パネル５側から見て本体筐体２の左側の側面に、スピーカ７が配設されており、スピーカ７は、後述するように、回線のモニタ音、操作パネル５のキー操作時のＡＣＫ音（：正常受信音）、ＮＡＣＫ音（受信未完音）、各種警告音等の各種音声を拡声出力する。
【００２４】
そして、ファクシミリ装置１は、図２に示すようにブロック構成されており、コピー制御部１０、通信制御部３０及び電源供給部５０等を備えていて、ファクシミリ通信機能、コピー機能、ファクシミリ通信機能、データ通信機能、無線通信機能等の各種機能を実行する。
【００２５】
コピー制御部１０は、メインＣＰＵ（Central Processing Unit)１１、ＲＯＭ（Read Only Memory）１２、ＲＡＭ（Random Access Memory )１３、ワークＲＡＭ１４、データ処理部１５、大容量メモリ１６、操作パネル制御部１７、上記操作パネル５、スキャナ制御部１８、スキャナ１９、プリンタ制御部２０、プリンタ２１、ＩＯ制御部２２及び各種ＩＯ２３等を備えており、上記各部はバス２４で接続され、また、バス２４に接続されているブリッジ６０を介して通信制御部５０と接続されている。
【００２６】
ＲＯＭ１２には、ファクシミリ装置１としての基本プログラム等の各種プログラム及びこれらの各プログラムを実行するのに必要な各種データが格納されている。
【００２７】
ＲＡＭ１３は、情報蓄積用のメモリであり、電池２５でバックアップされていて、各種情報をファクシミリ装置１の電源がオフされた場合や停電の場合にも保持する。
【００２８】
ワークＲＡＭ１４は、メインＣＰＵ１１によりデータ処理のワーク領域として使用される。
【００２９】
メインＣＰＵ１１は、ＲＯＭ１２内のプログラムに基づいて、ワークＲＡＭ１４をデータ処理で使用しつつ、コピー制御部１０の各部及び後述する通信制御部３０の各部を制御して、操作パネル５の制御、スキャナ１９の読み込み動作、プロッタ２２でのプリント出力等のファクシミリ装置１としての基本処理を実行する。
【００３０】
データ処理部１５は、画像データの大容量メモリ１６への蓄積の効率化及び伝送時間の短縮化を図るためのものであり、ファイリング機能やプリントのエミュレーション機能を実現するために必要な各種データ処理を行う。
【００３１】
大容量メモリ１６は、ＲＡＭあるいはハードディスク等で構成され、スキャナ制御部１８に接続されているスキャナ１９の読み取った原稿の画像データ及び受信した画像データ等を蓄積する。特に、大容量メモリ１６は、コピー時のファイリング処理を行うためのデータ処理、特に、圧縮処理に利用される。
【００３２】
操作パネル制御部１７には、上記操作パネル５が接続されており、操作パネル５は、テンキーやスタートキー等の各種操作キーを備えるとともに、ディスプレイ（例えば、液晶ディスプレイ）５ａを備えている。操作パネル５では、操作キーにより送信先の指定やその他の送信操作等の各種命令が入力操作され、ディスプレイ５ａには、操作キーで入力された各種命令内容やファクシミリ装置１からオペレータに通知する各種情報が表示される。そして、操作パネル制御部１７は、操作パネル５での操作内容を取得して、メインＣＰＵ１１に出力し、また、メインＣＰＵ１１の制御下で、ディスプレイ５ａに上記各種情報を表示させる。
【００３３】
スキャナ制御部１８には、スキャナ１９が接続されており、スキャナ１９は、例えば、ＣＣＤ（Charge Coupled Device）を利用したイメージスキャナが利用されて、スキャナ制御部１８の制御下で動作して、原稿を走査して原稿の画像を所定の解像度で読み取る。スキャナ制御部１８は、メインＣＰＵ１１からの制御信号に応じて、スキャナ１９の動作を制御して、スキャナ１９により原稿の画像を読み取らせ、スキャナ１９の読み取った原稿の画像を大容量メモリ１６に転送する。
【００３４】
上記ＡＤＦ４は、複数枚の原稿がセットされ、セットされた複数枚の原稿を１枚ずつスキャナ１９の読取部に搬送して、スキャナ１９での読み取りの完了した原稿をＡＤＦ４の原稿排紙部に排出する。
【００３５】
プロッタ制御部２１には、プロッタ２２が接続されており、プロッタ２２としては、例えば、電子写真方式等の記録装置が使用されている。プロッタ制御部２１は、大容量メモリ１６から転送されてくる画像データ（書込データ）に基づいてプロッタ２２を制御し、プロッタ２２により画像データに対応した画像を記録紙に記録出力させる。プロッタ２２は、画像の記録の完了した記録紙を排紙台３上に排出する。なお、プロッタ２２は、両面記録機能を備えていてもよく、この場合、記録紙の表面と裏面に画像を記録出力する。
【００３６】
ＩＯ制御部２２には、用紙センサ、ドアセンサ、ヒーター温度センサ等の各種センサ、特に、後述する人体検知センサ（高さ判別手段）やモータ類等の各種ＩＯ２３が接続されており、ＩＯ制御部２２は、これらの各種ＩＯ２３との信号の授受を行って、受け取った信号をメインＣＰＵ１１に出力する。
【００３７】
通信制御部３０は、通信制御コントローラ３１、ＲＯＭ３２、ＲＡＭ３３、ワークＲＡＭ３４、通信データ蓄積メモリ３５、通信データ処理部３６、Ｇ３ｆａｘモデム３７、アナログ回線ＩＦ３８及びＬＡＮ制御部３９等を備えており、上記各部は、上記ブリッジ６０に接続されたバス４０に接続されている。すなわち、通信制御部３０は、通信ポートとして、アナログ回線ＩＦ３８を備えており、ネットワークポートとして、ＬＡＮ制御部３９を備えている。
【００３８】
ＲＯＭ３２には、通信制御部３０としての基本プログラムや後述する音声出力制御処理プログラム及びシステムデータ等が格納されており、ＲＡＭ３３は、電池４１でバックアップされていて、各種情報をファクシミリ装置１の電源がオフされた場合や停電の場合にも保持する。ＲＡＭ３３には、特に、ＬＡＮ（Local Area Network）に接続されているプリンタとファクシミリ装置１のプロッタ２２のＬＡＮ上のアドレス及びそのプリント言語が登録され、通信制御コントローラ３１により管理される。
【００３９】
通信制御コントローラ（制御手段）３１は、ＲＯＭ３２内のプログラムに基づいて、ワークＲＡＭ３４を使用しつつ、通信制御部３０の各部を制御して通信制御部３０としての処理を実行するとともに、後述する音声出力制御処理を実行する。また、通信制御コントローラ３１は、ワークＲＡＭ３４を利用してアナログ電話回線を使用したプログラム通信処理やＬＡＮを使用したＬＡＮ上の機器との通信を制御する。
【００４０】
通信データ処理部３６は、通信制御コントローラ３１の制御下で、送受信するデータを通信ポートに適した応じた方式で送信データの圧縮処理及び受信データの伸長処理し、また、デジタル信号処理を行う。
【００４１】
通信データ蓄積メモリ３５は、通信制御コントローラ３１の制御下で、送受信する通信データ等を蓄積する。
【００４２】
ＬＡＮ制御部３９には、ＬＡＮが接続されており、ＬＡＮ制御部３９は、ＬＡＮ上のパーソナルコンピュータやサーバ等の端末及びプリンタとの間でデータやコマンドをやり取りする。
【００４３】
Ｇ３ｆａｘモデム３７には、アナログ回線ＩＦ３８が接続されており、アナログ回線ＩＦ３８には、公衆回線網のアナログ電話回線や内線網及びスピーカ７が接続されている。Ｇ３ｆａｘモデム３７は、通信制御コントローラ３１の制御下で動作して、送信信号の変調及び受信信号の復調を行うとともに、アナログ回線ＩＦ３８を介して相手ファクシミリ装置との間でＧ３ファクシミリ通信手順を実行し、また、後述するように、通信制御コントローラ３１の制御下で、操作パネル５のキー操作時のＡＣＫ音、ＮＡＣＫ音等の操作関連音、各種警告音、電話回線のモニタ音及びファクシミリ装置１で使用するビープ音をスピーカ７から出力させる。
【００４４】
上記電源供給部５０は、電源コード５１に接続された直流電源供給部５２と電源コード５１と直流電源供給部５２との間に直列に接続されているメインスイッチ５３等を備えており、電源コード５１から供給される交流の商用電源を、直流電源供給部５２で各種電圧値の直流電源に変換して、ファクシミリ装置１の各部に供給するとともに、交流電源をモータ等に供給する。メインスイッチ５３は、オペレータによってオン／オフ操作されることによって、また、ＩＯ制御部２２の制御信号によってオン／オフ動作し、電源コード５１を介して供給される商用電源の直流電源供給部５２への供給と供給遮断を行う。
【００４５】
アナログ回線ＩＦ３８は、図３に示すように、２線４線変換回路７１、ビープ音発生回路７２及び増幅器（ＢＵＦ）７３等を備えており、これらのビープ音発生回路７２及び増幅器７３は、上記バス４０を介して通信制御コントローラ３１に接続されている。
【００４６】
２線４線変換回路７１は、アナログ電話回線とＧ３ｆａｘモデム３７との間に配設されており、アナログ信号の２線−４線変換等を行う。
【００４７】
ビープ音発生回路７２は、通信コントローラの制御下で、操作パネル５のキー操作時のＡＣＫ音（：正常受信音）、ＮＡＣＫ音（受信未完音）等のビープ音信号や各種警告音等を発生させて、増幅器７３に出力する。
【００４８】
増幅器（音声調整手段）７３は、通信コントローラ３１の制御下で、ビープ音発生回路７２の発生させたビープ音信号を増幅してスピーカ７に出力し、スピーカ７は、増幅器７３から入力されるビープ音信号に応じたビープ音を拡声出力する。上記ビープ音発生回路７２及びスピーカ７は、音声出力手段として機能している。
【００４９】
なお、スピーカ７は、本実施例では、操作パネル５に向かって本体筐体２の左側側面に取り付けられているが、スピーカ７の取付位置は、本実施例の位置（本体筐体２の左側側面）に限るものではなく、例えば、ファクシミリ装置１の操作者に近い場所に取り付けてもよいが、回路基板の位置にもよるが、本体筐体２の全面側近くに取り付けようとすると、ハーネス経路が長くなり、コストアップの原因となったり、ノイズ混入の原因にもなるため、本実施例では、上述のように、本体筐体２の左側側面に取り付けられている。
【００５０】
そして、ファクシミリ装置１は、図示しないが、ファクシミリ装置１を操作する操作者を検出する人体検知センサ（高さ判別手段）が配設されており、人体検知センサは、操作者の耳の位置を検出可能な位置に、必要な数だけ配設されている。人体検知センサは、例えば、赤外線（光）を射出する赤外線発光ダイオード（検出波放射手段）、該赤外線発光ダイオードからの赤外線の射出をー定方向に制限する光学系及び射出された赤外線の反射光を検知する赤外線受光センサ（検出波検出手段）等を備えており、赤外線発光ダイオード及び赤外線受光センサから一定距離内にある物体（操作者）を検知して、最終的に通信制御コントローラ３１に検出信号を送る。なお、人体検知センサは、光を放射して検出するものに限るものではなく、例えば、光の代わりに所定の電波等の検出波を放出する検出波放射器（検出波放射手段）と、人体で反射された該検出波を検出する検出波検出センサ（検出波検出手段）と、で構成されていてもよい。
【００５１】
次に、本実施例の作用を説明する。本実施例のファクシミリ装置１は、操作者の耳の位置に基づいてスピーカ７から出力する音の音量を制御する。
【００５２】
すなわち、ファクシミリ装置１は、例えば、いま、図４（ａ）に示すように、立って操作する操作者ａの耳位置（図４（ｂ）参照）の検知位置を検知位置Ｘａ、車椅子等のように座って操作する操作者ｂの耳位置（図４（ｃ）参照）の検知位置を検知位置Ｘｂとし、このときの操作者ａの耳の高さを１４０ｃｍ、操作者ｂの耳の高さを１０６ｃｍとする。
【００５３】
人体検知センサは、操作者が操作パネル５に近づくと、該操作者、特に、頭部等の位置を検出して、通信制御コントローラ３１に出力し、通信制御コントローラ３１は、人体検知センサからの検出信号に基づいて操作者の耳の位置を求める。ファクシミリ装置１は、この人体検知センサの検出信号に基づいて操作者の耳の位置を特定するために、例えば、人体の頭髪の感度、頭部と耳の位置関係等の位置特定データが予めＲＡＭ３３等のメモリ（高さ記憶手段）に格納されており、通信制御コントローラ３１は、人体検知センサの検出信号とこの位置特定データを参照して操作者の耳の位置を特定する。したがって、人体検知センサと位置特定データを記憶するメモリは、全体として高さ判別手段として機能する。
【００５４】
そして、通信制御コントローラ３１は、特定した操作者の耳の位置とスピーカとの相対位置を数値化して、操作者の耳の位置を算出する。例えば、スピーカ７と同じ高さの操作者の耳位置を、耳位置α＝０とし、このα＝０の耳位置から垂直方向上方に１０ｃｍ刻みで、耳位置αを、「１」、「２」、「３」、・・・等として数値化する。なお、上記耳位置αは、図４の場合、スピーカ７よりも低い位置では、操作者の耳位置としては、低すぎて意味を持たないため、上方向のみを耳位置αとして数値化している。
【００５５】
いま、ファクシミリ装置１は、ファクシミリ機能で用いられているＡＣＫ／ＮＡＣＫ音の２ｋＨｚの連続音を通知音として使用し、この通知音の音声信号をビープ音発生回路７２に発生させる。
【００５６】
そして、増幅器７３は、この通知音の音量を、頭脳労働に耐えられる環境ノイズの音量とされている６３ｄＢ（Ａ）から騒音とされる音量である７５ｄＢ（Ａ）までの間で、標準値を７０ｄＢ（Ａ）として、通信制御コントローラ３１の制御下で、段階的に調整する。
【００５７】
また、ファクシミリ装置１は、ＲＡＭ３３等にこの耳位置αとスピーカ７から拡声出力する音声の音量となるゲイン値との関係を対応付けて耳位置−ゲインデータとして記憶しており、通信制御コントローラ３１は、上記算出した耳位置αに基づいて耳位置−ゲインデータを参照してゲイン値を求め、該求めたゲイン値で増幅器７３に増幅させて、所望の音量でスピーカ７に出力させる。
【００５８】
すなわち、通信制御コントローラ３１は、人体検知センサからの検出信号に基づいて操作者の耳の位置を耳位置αとして数値化し、該数値化した耳位置αに基づいて、ＲＡＭ３３等のメモリ（音声関連データ記憶手段）に格納されている耳位置−ゲインデータを参照して、該耳位置αに対応するゲイン値を求め、該ゲイン値を増幅器７３に設定して、該ゲイン値でビープ音発生回路７２で発生された音声信号を増幅させてスピーカ７に該耳位置αに対応する音量で連続音を拡声出力させる。すなわち、音声関連データ記憶手段には、操作者の高さとしての耳位置αとスピーカ７から出力する音声の音量（音声関連データ）を関連付けたデータとして、ゲイン値を記憶しており、通信制御コントローラ３１は、耳位置αに基づいてゲイン値を取得して、増幅器７３での音量調整を行っている。
【００５９】
このように、本実施例のファクシミリ装置１は、操作者の高さを検出して、該操作者の高さに応じて、増幅器７３のゲイン値を調整することで、スピーカ７からの出力音声の音量を調整している。
【００６０】
したがって、操作者の高さにかかわらず、ＡＣＫ、ＮＡＣＫ等の操作音や警告音等の出力音声を適切な音量に調整して出力することができ、操作者がより聞きやすい音声出力を安価に行って、ファクシミリ装置の利用性を向上させることができる。
【００６１】
また、本実施例のファクシミリ装置１は、光波、電波等の所定の検出波を放射して、操作者からの該検出波の反射を検出し、該検出結果に対応する操作者の高さを該各検出結果毎に位置特定データとして記憶するメモリから読み出して取得している。
【００６２】
したがって、操作者が操作パネル５に近づいてくると、速やかにかつ高精度に操作者の高さ（耳位置）を検出することができ、ファクシミリ装置の利用性をより一層向上させることができる。
【実施例２】
【００６３】
図５は、本発明の通信装置の第２実施例を適用したファクシミリ装置のアナログ回線ＩＦ８０の要部回路構成を示す図である。
【００６４】
なお、本実施例は、上記第１実施例のファクシミリ装置１と同様のファクシミリ装置に適用したものであり、本実施例の説明においては、上記第１実施例と同様の構成部分には、同一の符号を付すとともに、図示しない部分についても、必要に応じて、第１実施例の説明で用いた符号をそのまま用いて説明する。
【００６５】
本実施例のファクシミリ装置１は、上記第１実施例のファクシミリ装置１と同様の構成を有しているが、そのアナログ回線ＩＦ８０は、図５に示すように、上記第１実施例のアナログ回線ＩＦ３８と同様の２線４線変換回路７１、ビープ音発生回路７２及び増幅器７３を備えているとともに、回線診断回路８１とフィルタ８２を備えており、ビープ音発生回路７２、増幅器７３、回線診断回路８１及びフィルタ８２は、上記バス４０を介して通信制御コントローラ３１に接続されている。
【００６６】
２線４線変換回路７１、ビープ音発生回路７２及び増幅器７３は、第１実施例と同様であり、その説明を省略する。
【００６７】
回線診断回路（周波数検出手段）７１は、２線４線変換回路７１とＧ３ｆａｘモデム３７との間に接続され、アナログ電話回線からの受信信号についてその周波数特性（２００Ｈｚ〜４ｋＨｚ）を測定し、この周波数特性を、デジタル値として通信制御コントローラ３１が読み出して、ＲＡＭ４１等のメモリに保持する。
【００６８】
フィルタ（モニタ手段、補正手段）８２は、アナログ電話回線からの信号をモニタして、所定のフィルタ処理を施した後、モニタ音声信号として増幅器７３に出力し、増幅器７３がこのモニタ音声信号を通信制御コントローラ３１の制御下で増幅してスピーカ７を介して、モニタ音声として出力させる。
【００６９】
また、ビープ音発生回路７２は、上記第１実施例の場合と同様に、通信コントローラの制御下で、操作パネル５のキー操作時のＡＣＫ音やＮＡＣＫ音等のビープ音信号を発生させて、フィルタ８２を介して増幅器７３に出力するが、フィルタ８２は、ビープ音発生回路７２からのビープ音信号に対しては、そのまま通過させて増幅器７３に出力する。
【００７０】
上記アナログ回線ＩＦ８０は、フィルタ８２が、アナログ回線からの信号をモニタして、通信制御コントローラ３１の制御下で、該モニタしたモニタ信号を減衰補正するために、該モニタ信号に対して、Ｊ（ｆ）のフィルタ処理を行って増幅器７３に出力する。
【００７１】
そして、ファクシミリ装置１は、ファクシミリ装置１の設置時または任意のタイミングに、フィルタ８２のフィルタ設定値を求めてＲＡＭ３３等のメモリに格納する。
【００７２】
すなわち、ファクシミリ装置１の設置時または任意のタイミングに、サービスマンやファクシミリ装置１の管理者が、２００Ｈｚ〜４ｋＨｚ、−１５ｄＢｍ、フラットの基準信号を送出するサービスセンタ等の基準信号発生施設に電話発信して、該基準信号発生施設が、この電話発信に応じて、基準信号が送出されてくると、この基準信号を回線診断回路８１で検出し、通信制御コントローラ３１が、回線診断回路８１の検出した検出信号と基準信号との差分Ｋ（ｆ）を減衰率として求めて、所定周波数毎に、ＲＡＭ３３等のメモリに、この差分Ｋ（ｆ）を一旦格納する。
【００７３】
次に、通信制御コントローラ３１は、基準信号発生施設からの基準信号の検出信号が、２００Ｈｚ〜４ｋＨｚの周波数でフラットになり、かつ、７０ｄＢ（Ａ）になるように補正する補正値Ｌ（ｆ）を、演算により、あるいは、スピーカ７からの出力音声を所定の測定器を用いた測定結果に基づいて、操作者の耳位置α毎に、かつ、所定周波数毎に、求めて、テーブル化して、ＲＡＭ３３等のメモリ（補正値記憶手段）に格納する。また、必要に応じて、このときのゲイン値を求めてＲＡＭ３３等のメモリに格納する。
【００７４】
そして、通信制御コントローラ３１は、通常動作時に、アナログ回線からの受信信号をフィルタ８２がモニタし、回線診断回路８１が該信号の周波数を検出すると、上記同様に、人体検知センサの検出信号に基づいて、操作者の耳位置αを数値化し、上記差分Ｋ（ｆ）と補正値Ｌ（ｆ）を該耳位置αと該周波数に基づいて上記メモリのテーブルから読み出して、次式（１）により、調整フィルタ値Ｊα（ｆ）を求める。
【００７５】
Ｊα（ｆ）＝Ｋ（ｆ）＋Ｌ（ｆ）・・・（１）
通信制御コントローラ３１は、調整フィルタ値Ｊα（ｆ）を求めると、フィルタ８２にこの調整フィルタ値Ｊα（ｆ）を設定して、フィルタ８２が、モニタ信号にこの調整フィルタ値Ｊα（ｆ）でフィルタ処理して減衰補正を行って増幅器７３に出力し、増幅器７３で必要な増幅を行って、スピーカ７から放出させる。
【００７６】
また、通信制御コントローラ３１は、操作パネル５でキー操作されると、上記同様に、ビープ音発生回路７２にビープ音信号を発生させ、このビープ音信号をフィルタ８２を通過させた後、増幅器７３で操作者の耳位置αに応じたゲイン値で増幅させて、スピーカ７から出力させる。  
【００７７】
このように、本実施例のファクシミリ装置１は、回線での回線信号の減衰率である回線診断回路８１の検出した検出信号と基準信号との差分Ｋ（ｆ）から該減衰を補正するための補正値Ｌ（ｆ）を、所定の周波数毎にＲＡＭ３３等のメモリに記憶し、人体検知センサの検知結果から操作者の耳位置を求め、また、回線診断回路８１が回線信号の周波数を検出すると、該周波数に対応する差分Ｋ（ｆ）と補正値Ｌ（ｆ）をメモリから取得し、該差分Ｋ（ｆ）と補正値Ｌ（ｆ）から調整フィルタ値Ｊα（ｆ）を式（１）で算出して、該調整フィルタ値Ｊα（ｆ）でフィルタ８２にフィルタ処理を行わせることで減衰補正を行っている。
【００７８】
したがって、操作者の高さにかかわらず、回線のモニタ音（ダイヤルトーン、音声ガイダンスセンタ等からの音声）を適切な音量や音質に調整することができ、操作者が聞きやすい音声出力を安価に行って、ファクシミリ装置の利用性を向上させることができる。
【００７９】
なお、上記説明においては、ファクシミリ装置１が、アナログ電話回線として外線に直接接続されている場合について説明したが、内線に接続される場合にも適用することができるが、内線に接続する場合には、以下のように処理を行う。なお、以下の説明では、説明を簡単にするために、内線に接続している場合には、周波数特性はフラットであるものとする。
【００８０】
すなわち、ファクシミリ装置１の設定時または任意のタイミングに、サービスマンやファクシミリ装置１の管理者が、上記初期設定の設定操作を行う際に、内線診断を設定する。このとき、ファクシミリ装置１の回線を無信号のオフフック状態とし、回線診断回路８１によって内線交換機によるダイヤルトーンのゲインを検出し、次に、「０」発信して、外線のダイヤルトーンを検出して、減衰率Ｋ２を測定して、ＲＡＭ３３等のメモリに記憶して初期設定を終了する。
【００８１】
そして、通信制御コントローラ３１は、内線時には、次式（２）によって決定される内線時調整フィルタ値Ｊα２（ｆ）を採用する。
【００８２】
Ｊα２（ｆ）＝Ｋ２＋Ｌ（ｆ）・・・（２）
なお、Ｋ２は、ゲインのみである。
【００８３】
ファクシミリ装置１は、通常動作時、操作者が「０」発信を行うか否かを判別し、回線診断回路８１が上記外線のダイヤルトーンの検出をすることで、内線接続、外線接続の状態を判別することができる。
【００８４】
そして、内線接続時には、通信制御コントローラ３１は、上記（２）式の内線時調整フィルタ値Ｊα２（ｆ）をフィルタ８２に設定し、また、増幅器７３に設定して、音声出力し、外線接続時には、上記（１）式の調整フィルタ値Ｊα（ｆ）をフィルタ８２に設定し、また、増幅器７３の必要なゲイン調整を行う。
【００８５】
すなわち、ファクシミリ装置１は、ＲＡＭ３３等のメモリに、回線が外線であるときの該外線での回線信号の補正値と回線が内線であるときの該内線での回線信号の補正値を所定の周波数毎にそれぞれ記憶し、通信制御コントローラ３１が、接続している回線が内線であるか外線であるかの回線種別を判別して、該判別した回線種別と回線診断回路８１の検出した回線信号の周波数に対応する補正値を該メモリから取得して、該補正値に基づいて、調整フィルタ値Ｊα（ｆ）または内線時調整フィルタ値Ｊα２（ｆ）を求めて、該調整フィルタ値Ｆα（ｆ）または内線時調整フィルタ値Ｊα２（ｆ）によってフィルタ８２にフィルタ処理を行わせている。
【００８６】
したがって、内線接続される場合にも、また、外線接続される場合にも、操作者がダイヤルトーンを聞いたり、音声ガイダンスセンタ等の回線信号を聞いたりするとき、操作者の耳の位置に応じて良好な音量・音質で音声を出力ることができ、ファクシミリ装置１の利用性をより一層向上させることができる。
【実施例３】
【００８７】
図６は、本発明の通信装置の第３実施例を適用したファクシミリ装置１の外観側面図である。
【００８８】
なお、本実施例は、上記第１実施例のファクシミリ装置１と同様のファクシミリ装置に適用したものであり、本実施例の説明においては、必要に応じて、第１実施例の説明で用いた符号をそのまま用いて説明する。
【００８９】
図６において、本実施例のファクシミリ装置１は、上記第１実施例のファクシミリ装置１と同様の構成を有しているが、その操作パネル５が、実線と破線で示すように、所定の角度だけ操作者側の先端部が、その基端側の端部を回転中心として、上下方向に回転移動させるメカ機構が配設されている。
【００９０】
したがって、操作者は、ファクシミリ装置１の操作を行う際に、自己の顔の位置に応じてディスプレイ５ａを見やすい角度に操作パネル５を回転させて操作する。
【００９１】
ファクシミリ装置１は、図示しないが、この操作パネル５の回転角度を検出する角度センサ（傾き検出手段）が設けられており、角度センサは、検出した操作パネル５の回転角度を通信制御コントローラ３１に出力する。
【００９２】
また、ファクシミリ装置１は、上記第１実施例で説明した検知位置Ｘｂのユーザの見やすい操作パネル５の回転位置での角度センサの検出角度を０度、検知位置Ｘａのユーザの見やすい操作パネル５の回転位置での角度センサの検出角度を、β度（マイナスの角度）とすると、角度検出センサの検出角度と操作者の耳の位置とのデータが予めＲＡＭ３３等のメモリ（高さ記憶手段）に角度−耳位置テーブルとして格納されている。上記角度センサと角度−耳位置テーブルを記憶するＲＡＭ３３等のメモリは、全体として高さ判別手段として機能している。
【００９３】
この場合、操作者の耳位置方向の角度（耳角度）γは、次式（３）で与えられる。
γ＝δ−β・・・（３）
この耳角度γと操作パネル５（本体筐体２）と操作者の位置までの距離（例えば、４０ｃｍ）に基づいて耳位置αを決定することができるが、上述のように、この角度γと耳位置αとの関係を予め角度−耳位置テーブルとしてメモリに格納して、いちいち演算することなく耳位置αを速やかに決定できるようにしているが、耳角度から耳位置αを算出すると、速やかに耳位置αを求めることができる。
【００９４】
さらに、ファクシミリ装置１は、第１実施例と同様に、ＲＡＭ３３等に耳位置αとスピーカ７から拡声出力する音声の音量となるゲインとの関係を対応付けて耳位置−ゲインデータとして記憶している。
【００９５】
そして、ファクシミリ装置１は、例えば、図４（ａ）に示したように、立って操作する操作者ａの耳位置の検知位置を検知位置Ｘａ、車椅子等のように座って操作する操作者ｂの耳位置の検知位置を検知位置Ｘｂとし、このときの操作者ａの耳の高さを１４０ｃｍ、操作者ｂの耳の高さを１０６ｃｍとする。
【００９６】
いま、操作者が操作パネル５に近づいて、操作パネル５のディスプレイ５ａが見やすい角度に操作パネル５を回転させると、角度センサが、操作パネル５の角度を検出して、通信制御コントローラ３１に出力し、通信制御コントローラ３１は、角度センサからの角度信号に基づいて上記メモリの角度−耳位置テーブルを参照して、耳位置αを取得する。
【００９７】
通信制御コントローラ３１は、アナログ回線ＩＦとして、第１実施例のアナログ回線ＩＦ３８を備えているときには、取得した操作者の耳の位置に基づいて耳位置−ゲインデータを参照して、ゲイン値を求め、該求めたゲイン値で増幅器７３にビープ音発生回路７２からのＡＣＫ等の音声信号を増幅させてスピーカ７に出力させる。
【００９８】
また、通信制御コントローラ３１は、アナログ回線ＩＦとして、第２実施例のアナログ回線ＩＦ８０を備えているときには、第２実施例で説明したように、外線用の調整フィルタ値Ｊα（ｆ）や内専用の調整フィルタ値Ｊ２α（ｆ）を求めて、フィルタ８２がモニタしたモニタ信号を、フィルタ８２で上記調整フィルタ値Ｊα（ｆ）または調整フィルタ値Ｊ２α（ｆ）でフィルタ処理を行った後、必要な増幅処理を増幅器７３で行って、スピーカ７から出力させる。
【００９９】
このように、本実施例のファクシミリ装置１は、操作者が操作者の高さに応じてその傾きを調整して各種操作を行う操作パネル５の傾きを角度センサで検出し、該検出した傾きに対応する操作者の高さを記憶するメモリの角度−耳位置テーブルから耳位置を取得して、該耳位置に応じて増幅器７３のゲイン値を調整して音量調整したり、フィルタ８２のフィルタ値を調整して音質調整している。
【０１００】
したがって、操作者の高さ（耳位置）を簡単かつ安価に求めて、操作者の高さにかかわらず、操作関連音や回線のモニタ音（ダイヤルトーン、音声ガイダンスセンタ等からの音声）等の出力音声を適切な音量や音質に安価に調整することができ、操作者がより聞きやすい音声出力を安価に行って、ファクシミリ装置の利用性を向上させることができる。
【実施例４】
【０１０１】
図７及び図８は、本発明の通信装置の第４実施例を示す図であり、図７は、本発明の通信装置の第４実施例を適用したファクシミリ装置１の外観側面図、図８は、該ファクシミリ装置１の外観平面図である。
【０１０２】
なお、本実施例は、上記第１実施例のファクシミリ装置１と同様のファクシミリ装置に適用したものであり、本実施例の説明においては、必要に応じて、第１実施例の説明で用いた符号をそのまま用いて説明する。
【０１０３】
図７及び図８において、本実施例のファクシミリ装置１は、通常、壁９０の側に配置されることが多く、壁９０の側に配置されると、スピーカ７から放出された音声が壁９０による音の吸収・反射による影響を考慮する必要がある。また、ファクシミリ装置１の周囲には、壁９０だけでなく、衝立、間仕切り、棚等の音を反射させたり吸収する周囲物質が配置されており、これらの周囲物質は、スピーカ７から出力された音が操作者に届くまでに該音を乱反射させたり吸収して、聞こえる音の音量に影響を与える。なお、以下の説明では、説明を簡単にするために、周囲物質として、壁９０のみを取り上げて説明するが、他の周囲物質についても同様に適用することができる。
【０１０４】
そこで、本実施例のファクシミリ装置１は、図８に示すように、ファクシミリ装置１の左右側面及び背面に、壁センサ９１〜９３が配設されており、壁センサ９１〜９３は、所定の距離範囲内に壁９０があるか否かを検出して、検出結果を通信制御コントローラ３１に出力する。
【０１０５】
ファクシミリ装置１は、予めファクシミリ装置１の壁９０の有無とファクシミリ装置１のいずれの方向に壁９０があるかに応じた増幅器７３のゲイン値をテーブル形式で記憶している。この場合、壁９０は、ファクシミリ装置１の左右と背面の三面において壁９０の有無を、３ビットの壁パラメータβを用いて、β＝000、001、010、100、011、101、110、111（８通り）で表して、各壁パラメータβ毎に、操作者の耳位置αに対して、スピーカ７からの放出音が７０ｄＢ（Ａ）を得られるゲインとの関係を対応付けて耳位置−ゲインデータとして記憶する。
【０１０６】
そして、本実施例のファクシミリ装置１は、ファクシミリ装置１の設置時や移動時等に、通信制御コントローラ３１が、壁センサ９１〜９３の検出結果を参照して、周囲の壁９０の有無に基づいた壁パラメータβに応じた耳位置−ゲインデータを決定して、該決定した耳位置−ゲインデータを用いて、操作者の耳位置αに適したゲイン値によって増幅器７３で増幅して出力音声の音量調整を行う。
【０１０７】
このように、本実施例のファクシミリ装置１は、壁９０の配置状況を壁センサ９１〜９３で検出し、該検出した壁９０の配置状況に応じて、増幅器７３のゲイン値を設定して、音量調整している。
【０１０８】
したがって、操作者の高さにかかわらず、ＡＣＫ、ＮＡＣＫ等の操作音や警告音等の出力音声や回線のモニタ音（ダイヤルトーン、音声ガイダンスセンタ等からの音声）を、ファクシミリ装置１の周囲の壁９０等の周囲物質の影響を考慮した音量で出力することができ、操作者がより一層聞きやすい音声出力を行って、ファクシミリ装置の利用性を向上させることができる。
【実施例５】
【０１０９】
図９は、本発明の通信装置の第５実施例を適用したファクシミリ装置１の外観平面図である。
【０１１０】
なお、本実施例は、上記第１実施例のファクシミリ装置１と同様のファクシミリ装置に適用したものであり、本実施例の説明においては、同一の構成部分には、同一の符号を付し、図示しない部分についても、必要に応じて、第１実施例の説明で用いた符号をそのまま用いて説明する。
【０１１１】
本実施例のファクシミリ装置１は、本体筐体２とオプション給紙段６からなる本体部１００とＡＤＦ４、スキャナ１９及び操作パネル５からなるスキャナ部１０１とが分離可能となっており、これらの本体部１００とスキャナ部１０１が接続ケーブル１０２で接続されている。この接続ケーブル１０２は、予め既知の所定長さを有しており、スキャナ部１０１を本体部１００から分離させて配置する場合にも、この接続ケーブル１０２の長さによって本体部１００とスキャナ部１０１との最大距離が規制される。
【０１１２】
スキャナ部１０１には、その左右側面及び背面に、赤外線を射出する赤外線射出器１０３〜１０５が配設されており、本体部１００には、その左右側面及び前面と背面に、赤外線射出器１０３〜１０５から射出された赤外線を検出する赤外線センサ１０６〜１０９が配設されている。これらの赤外線射出器１０３〜１０５と赤外線センサ１０６〜１０９は、全体として、本体部１００とスキャナ部１０１の位置関係を検出する位置検出手段として機能する。
【０１１３】
ファクシミリ装置１は、図示しないが、赤外線射出器１０３〜１０５を駆動させる駆動回路と、赤外線センサ１０６〜１０９のアナログの検出出力をデジタル変換するＡ／Ｄコンバータ等を備えている。ファクシミリ装置１は、本体部１００に対するスキャナ部１０１の位置関係を正確に検出するために、駆動回路による赤外線射出器１０３〜１０５の駆動方式等を制御して、例えば、赤外線射出器１０３〜１０５を同時に駆動させて全ての赤外線射出器１０３〜１０５から同時に赤外線を射出させたり、赤外線射出器１０３〜１０５を順次１つずつ点灯させて、点灯させる赤外線射出器１０３〜１０５を増やしたり、あるいは、赤外線射出器１０３〜１０５を順次切り換えて点灯させて同時に点灯させる赤外線射出器１０３〜１０５は、１つのみとする点灯方式等のうち、本体部１００に対するスキャナ部９１の位置関係を正確に検出できる方式を適宜採用する。
【０１１４】
また、上記同様に、スピーカ７が、操作パネル５側から見て、本体部１００の本体筐体２の左側側面に配設されている。
【０１１５】
そして、ファクシミリ装置１は、赤外線センサ１０６〜１０９の検出結果によって本体部１００に対するスキャナ部１０１の位置関係を、例えば、図９の位置関係では、赤外線射出器１０３〜１０５を順次切り換えて点灯させて同時に点灯させる赤外線射出器１０３〜１０５は、１つのみとする点灯方式を用いて検出する場合、赤外線射出器１０４のみを点灯させたときには、赤外線射出器１０４からの赤外線を赤外線センサ１０８のみが検出し、赤外線射出器１０３のみを点灯させたときには、赤外線射出器１０３からの赤外線を赤外線センサ１０６のみが検出し、赤外線射出器１０５のみを点灯させたときには、赤外線射出器１０５からの赤外線をいずれの赤外線センサ１０６〜１０９も検出しない。このように点灯する赤外線射出器１０３〜１０５と赤外線を検出する赤外線センサ１０６〜１０９との関係と本体部１００に対するスキャナ部１０１の位置関係のデータを位置データとしてテーブル化して、ＲＡＭ３３等のメモリに予め格納する。
【０１１６】
さらに、ファクシミリ装置１は、この本体部１００に対するスキャナ部１０１の位置関係と該位置関係のときに操作者の耳位置αに対して、スピーカ７からの放出音がスキャナ部５の正面位置（操作パネル５の正面４０ｃｍの位置）において７０ｄＢ（Ａ）を得られるゲインとの関係を対応付けて耳位置−ゲインデータとして記憶する。なお、この場合、スピーカ７からの放出音が７０ｄＢ（Ａ）±２ｄＢであると、同じゲイン値に設定するものとすると、本体部１００に対するスキャナ部１０１の位置を数カ所に分類して、耳位置−ゲインデータを簡単なものとすることができる。
【０１１７】
そして、本実施例のファクシミリ装置１は、ファクシミリ装置１の設置時や移動時等に、通信制御コントローラ３１が、赤外線射出器１０３〜１０５の駆動制御を行ってそのときの赤外線センサ１０６〜１０９の検出結果に基づいて、本体部１００に対するスキャナ部１０１の位置を特定し、このスキャナ部１０１の位置データを特定する。
【０１１８】
その後、ファクシミリ装置１は、操作者が操作パネル５の正面に来て、人体検知センサの検出結果または操作パネル５の角度を検出する角度センサの検出結果から操作者の耳位置を特定する。
【０１１９】
通信制御コントローラ３１は、該取得した操作者の耳の位置に基づいてＲＡＭ３３等のメモリの耳位置−ゲインデータを参照して、ゲイン値を求め、該求めたゲイン値で増幅器７３にビープ音発生回路７２からのＡＣＫ等の音声信号を増幅させてスピーカ７に出力させる。
【０１２０】
このように、本実施例のファクシミリ装置１は、本体筐体２とオプション給紙段６からなる本体部１００とＡＤＦ４、スキャナ１９及び操作パネル５からなるスキャナ部１０１とが分離可能となっており、赤外線射出器１０３〜１０５と赤外線センサ１０６〜１０９で本体部１００とスキャナ部１０１の位置関係を検出し、該検出した位置関係に応じたゲイン値を、ＲＡＭ３３等のメモリの耳位置−ゲインデータから取得して、該ゲイン値を増幅器７３に設定して、音声信号の増幅を行う。
【０１２１】
したがって、操作者の高さにかかわらず、ＡＣＫ、ＮＡＣＫ等の操作音や警告音等の出力音声や回線のモニタ音（ダイヤルトーン、音声ガイダンスセンタ等からの音声）を、本体部１００とスキャナ部１０１の位置関係を考慮した音量で出力することができ、操作者がより一層聞きやすい音声出力を行って、ファクシミリ装置の利用性を向上させることができる。
【０１２２】
なお、上記各実施例においては、通信装置として、ファクシミリ装置に適用した場合について説明したが、ファクシミリ装置に限るものではなく、通信音をモニタして出力し、また、操作音を出力する通信装置一般に適用することができる。
【０１２３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１２４】
本発明は、ＡＣＫ、ＮＡＣＫ等の操作音や警告音等の出力音声や回線のモニタ音を出力する通信装置一般に適用することができる。
【図面の簡単な説明】
【０１２５】
【図１】本発明の通信装置の第１実施例を適用したファクシミリ装置の外観斜視図。
【図２】図１のファクシミリ装置のブロック構成図。
【図３】図２のアナログ回線ＩＦの要部回路ブロック図。
【図４】図１のファクシミリ装置の操作者の耳位置の説明図。
【図５】本発明の通信装置の第２実施例を適用したファクシミリ装置のアナログ回線ＩＦの要部回路構成。
【図６】本発明の通信装置の第３実施例を適用したファクシミリ装置の外観側面図。
【図７】本発明の通信装置の第４実施例を適用したファクシミリ装置の外観側面図。
【図８】図７のファクシミリ装置の外観平面図。
【図９】本発明の通信装置の第５実施例を適用したファクシミリ装置の外観平面図。
【符号の説明】
【０１２６】
１  ファクシミリ装置
２  本体筐体
３  排紙台
４  ＡＤＦ
５  操作パネル
６  オプション給紙段
７  スピーカ
１０  コピー制御部
１１  メインＣＰＵ
１２  ＲＯＭ
１３  ＲＡＭ
１４  ワークＲＡＭ
１５  データ処理部
１６  大容量メモリ
１７  操作パネル制御部
１８  スキャナ制御部
１９  スキャナ
２０  プリンタ制御部
２１  プリンタ
２２  ＩＯ制御部
２３  ＩＯ
２４  バス
２５  電池
３０  通信制御部
３１  通信制御コントローラ
３２  ＲＯＭ
３３  ＲＡＭ
３４  ワークＲＡＭ
３５  通信データ蓄積メモリ
３６  通信データ処理部
３７  Ｇ３ｆａｘモデム
３８  アナログ回線ＩＦ
３９  ＬＡＮ制御部
４０  バス
４１  電池
５０  電源供給部
５１  電源コード
５２  直流電源供給部
５３  メインスイッチ
６０  ブリッジ
８０  アナログ回線ＩＦ
８１  回線診断回路
８２  フィルタ
９０  壁
９１〜９３  壁センサ
１００  本体部
１０１  スキャナ部
１０２  接続ケーブル
１０３〜１０５  赤外線射出器
１０６〜１０９  赤外線センサ
【図１】
2008118365.tif 000003
【図２】
2008118365.tif 000004
【図３】
2008118365.tif 000005
【図４】
2008118365.tif 000006
【図５】
2008118365.tif 000007
【図６】
2008118365.tif 000008
【図７】
2008118365.tif 000009
【図８】
2008118365.tif 000010
【図９】
2008118365.tif 000011